(57)【特許請求の範囲】
【請求項１】
洗浄便座を取付け可能な便器において、前記洗浄便座への給水接続部及び電気接続部を、前記洗浄便座を取付け可能な便座取付面の上面に並設し、前記洗浄便座側の給水配管及び電気配線と前記給水接続部及び電気接続部との接続方向を同じ方向に設定したことを特徴とする便器。
【請求項２】
洗浄便座を取付け可能な便器において、前記洗浄便座への給水接続部及び電気接続部を、前記洗浄便座を取付け可能な便座取付面の後方側の立面に並設し、前記洗浄便座側の給水配管及び電気配線と前記給水接続部及び電気接続部との接続方向を同じ方向に設定したことを特徴とする便器。
【請求項３】
便器に取り付けられた洗浄便座に給水接続及び電気接続を行うための中継ボックスであって、中継ボックスに洗浄便座への供給用給水配管及び電気配線の先端をそれぞれ接続すると共に、前記洗浄便座との給水配管及び電気配線の接続方向を同じ方向とした洗浄便座用給水接続部及び洗浄便座用電気接続部を設けたことを特徴とする給水・電気接続用中継ボックス。
【請求項４】
便器に向けて移動させることによって、請求項３記載の給水・電気接続用中継ボックスを介して外部の給水配管との接続及び電気配線との接続がなされることを特徴とする洗浄便座。
【発明の詳細な説明】
【０００１】
【産業上の利用分野】
本発明は局部洗浄機能を備えた便座、即ち洗浄便座への給水管・電気配線の接続に関する。
【０００２】
【従来の技術】
従来、洗浄便座への給水管の接続は、図１３に示すように便器洗浄用給水系の給水配管ａ１から局部洗浄用給水系の給水配管ａ２を分岐せしめ、これを洗浄便座Ｂに配設してある給水配管に接続している。
【０００３】
【発明が解決しようとする課題】
ところが、このような洗浄便座への給水管の接続構造は、接続作業を作業者が入り込み難い狭い場所の、しかも床面に近いところで行わなければならないので、非常に施工し難く、作業性が悪い。
本発明は従来技術が有する上記問題点に鑑みてなされたもので、その目的とするところは洗浄便座の給水配管・電気配線を、トイレ内の局部洗浄系給水配管及び電気配線と接続する施工が行い易く、作業性に優れた洗浄便座の給水配管・電気配線の接続を可能とすることにある。
【０００４】
【課題を解決するための手段】
上記目的を達成するために、請求項１記載の本発明では、洗浄便座を取付け可能な便器において、前記洗浄便座への給水接続部及び電気接続部を、前記洗浄便座を取付け可能な便座取付面の上面に並設し、前記洗浄便座側の給水配管及び電気配線と前記給水接続部及び電気接続部との接続方向を同じ方向に設定した。
【０００５】
また、請求項２記載の本発明では、洗浄便座を取付け可能な便器において、前記洗浄便座への給水接続部及び電気接続部を、前記洗浄便座を取付け可能な便座取付面の後方側の立面に並設し、前記洗浄便座側の給水配管及び電気配線と前記給水接続部及び電気接続部との接続方向を同じ方向に設定した。
【０００６】
また、請求項３記載の本発明では、便器に取り付けられた洗浄便座に給水接続及び電気接続を行うための中継ボックスであって、中継ボックスに洗浄便座への供給用給水配管及び電気配線の先端をそれぞれ接続すると共に、前記洗浄便座との給水配管及び電気配線の接続方向を同じ方向とした洗浄便座用給水接続部及び洗浄便座用電気接続部を設けた。
【０００７】
また、請求項４記載の本発明に係る洗浄便座では、便器に向けて移動させることによって、請求項３記載の給水・電気接続用中継ボックスを介して外部の給水配管との接続及び電気配線との接続がなされることとした。
【０００９】
【発明の実施の形態】
以下、図に基づいて本発明の実施の一例を説明する。
図１においてＡは便器、Ｂはこの便器に取り付けられる洗浄便座であり、上記便器Ａの便座取付面１には給水配管ａ２及び電気配線ｂ１が行われた中継ボックス２が取付けられ、該中継ボックス２の給水配管ａ２は一端が中継ボックス外部に延びてボールタップ給水栓に連絡する便器洗浄用給水系の給水配管ａ１に接続し、この便器洗浄用給水系の給水配管ａ１から分岐する局部洗浄用給水系の給水配管を構成している。
一方、上記電気配線ｂ１はその一端を中継ボックス２から引き出されて室内の適当な箇所に設置されている電源に接続されている。
【００１０】
中継ボックス２は上面周縁部にフランジ２ａを有する箱状に形成されており、便器Ａの便座取付面１に開設した取付口３に嵌め込んで上記フランジ２ａを取付口々縁の便座取付面１に係止し、止めビス等適当な固定手段（図示せず）で固定される。
上記中継ボックス２のフランジ２ａが係止する取付口３の口縁部は、中継ボックス２の上面がボックス取付状態において周囲の便座取付面１とほぼ面一になるように、周囲の便座取付面１に対して若干低く段設されている。
以上のようにこの実施例では、中継ボックス２を便器Ａに設けた取付口３に対して便座取付面１の上方から取り付ける構造としているため、便器洗浄用給水系の給水配管ａ１から分岐せしめる局部洗浄用給水系の給水配管ａ２はフレキシブルな管により構成されている。
尚、中継ボックス２は取付口３に対して便器Ａの下方から取り付ける構造とすることも任意であり、その場合には局部洗浄用給水系の給水配管ａ２は必ずしもフレキシブルな管により構成しなくてもよい。
【００１１】
一方、前記洗浄便座Ｂはケーシング４内に局部洗浄のための各種機器、配管、配線類を収容した機能部Ｂ１と、この機能部Ｂ１に対してヒンジを介して起伏自在に取付けた座部Ｂ２とで構成されており、上記機能部Ｂ１が便器Ａの後部上面に形成された便座取付面１上に、座部Ｂ２が便器Ａの上縁リム５上に夫々位置するように配置して便器Ａに取り付け固定され、洗浄便座Ｂを便器Ａ側に移動させることにより、機能部ケーシング４内に配設された給水配管ａ３及び電気配線ｂ２が、局部洗浄用給水系給水配管ａ２の中継ボックス２側端部及び中継ボックス２の電気配線ｂ１に夫々接続具Ｄ、Ｅを介して接続される。
【００１２】
給水配管ａ２、ａ３の接続具Ｄは一方の給水配管ａ２に取り付けたプラグ（洗浄便座用給水接続部）６と他方の給水配管ａ３に取り付けたソケット７とからなりソケット７をプラグ６に差し込むことにより両給水配管ａ２、ａ３を接続するカプラー構造に構成され、例えば図３乃至図４に示すようにプラグ６の周面に穿設した孔６１に収容したボール６２が押さえリング６３に押圧されてプラグ６の内面に突出し、これがプラグ６に差し込まれたソケット７の外周に設けた凹溝７１に嵌まることによりプラグ６とソケット７が結合するように構成されている。
【００１３】
上記押さえリング６３はプラグ６の外周にその軸方向に移動できるように嵌められており、常態においてはバネ６４によりボール６２を押圧してソケット７の凹溝７１に係合させておく位置に保持されているが、その位置はバネ６４の力に抗してプラグ６の軸方向に移動させることにより簡単にずらせることができるようになっている。
従って、押さえリング６３の位置をずらせることにより、ボール６２と凹溝７１の係合を介してのプラグ６とソケット７との結合は容易に外すことができる。
【００１４】
尚、１２は上記押さえリング６３の位置をずらせてプラグ６とソケット７の結合を外すための操作具であり、中継ボックス２内に上下擺動自在に枢支されて押さえリング６３に係止する作動杆１２１  と、洗浄便座Ｂの機能部ケーシング４の後方若しくは側方において中継ボックス２の上面に突出状に設けられて下端部を上記作動杆１２１  に連結しその押し下げ動作により作動杆１２１  を介して押さえリング６３をプラグ６の軸方向に押し下げるプッシュハンドル１２２  と、ハンドル１２２  を上方に付勢するバネ１２３  とにより構成されている。
【００１５】
また、この接続具Ｄにはプラグ６とソケット７の結合状態においてはこれらを軸方向に貫通する通路を解放し、両者が外された状態においては閉鎖するように構成された弁８が内装されている。
【００１６】
該弁８は少なくともプラグ６側には設けられるが、図示例のようにプラグ６側及びソケット７側の双方に設けるようにすれば、洗浄便座Ｂの給水配管ａ３内に残留する水がプラグ６とソケット７を外すことにより流出することもなく便利である。
【００１７】
上記弁８について更に詳しく説明すると、プラグ６側の弁８はプラグ６内部に設けられた弁座９に対して１次側から対応し、ソケット７側の弁８はソケット７内部に設けられた弁座９に対して２次側から対応しており、夫々バネ１０により閉弁方向に付勢されている。
そして上記双方の弁８、８は各々の弁座９、９を挿通して延びる棒軸１１を備えており、この棒軸１１がプラグ６とソケット７の結合時に相互に突き合って双方の弁８、８を押し開けるようになっている。
【００１８】
斯るプラグ６とソケット７は便器Ａへの洗浄便座取付状態において相互に対応して嵌合するように中継ボックス２の上面と洗浄便座Ｂの底面に若干突出状に配設される。
【００１９】
尚、配線ｂ１、ｂ２の接続具Ｅは周知のコネクターであり、これも上記プラグ６とソケット７と同様、便器Ａへの洗浄便座取付状態において相互に対応して嵌合するように中継ボックス２の上面と洗浄便座機能部Ｂ１のケーシング４底面に若干突出状に配設される。
【００２０】
以上説明し、また図示した実施例では、中継ボックス２を便座取付面１に取り付け、接続具Ｄを構成するカプラーのプラグ６とソケット７を中継ボックス２の上面と洗浄便座Ｂの底面に若干突出状に配設して便器Ａへの洗浄便座取付状態においてプラグ６とソケット７が相互に対応して嵌合するように構成したが、図８に示すように中継ボックス２を便座取付面の後端に隣接して便器上面に起立状に設け、前記カプラーＤのプラグ６とソケット７を便器Ａへの洗浄便座取付状態において相互に対応して嵌合するように中継ボックス２の前面と洗浄便座Ｂの背面に若干突出状に配設するようになすことも可能である。
上記中継ボックスは図示の如く、便座取付面１の後端に隣接して便器Ａ上面に起立する起立部Ａ１を便器Ａに一体に形成して、便座取付面１の後方側の立面となる該起立部Ａ１前面に取り付けるようにしてもよいし、便器Ａの横幅一杯の大きさを有するボックスとなしてこれを便器上面に組み付けるようにしてもよい。
【００２１】
一方、洗浄便座Ｂの便器Ａへの取付は図５に示すように機能部Ｂ１のケーシング４底面に開設したボルト係合孔１３に頭部１４１  を係止した取付ボルト１４を便器Ａの便座取付面１に開設した取付孔１５に挿通せしめて便器Ａ裏側からナット１４２  で締め付けて固定するのが一般的であるが、図６に示すようにウェルナット１６を利用して固定するようにしたり、図７に示すように便器Ａの便座取付面１と洗浄便座Ｂの機能部ケーシング４底面に前記したカプラーと同様の構造を有する（水は通さないので弁は必要無い）一対の接続具Ｆを取り付けておき、この接続具Ｆと前記給水配管ａ３、ａ４用の接続具Ｄの双方の嵌合により洗浄便座Ｂと便器Ａとを取付けるようにすることも可能である。
【００２２】
また、前記した給水配管ａ２、ａ３の接続のためのカプラーＤが中継ボックス２と便座機能部Ｂ１のケーシング４にしっかりと固定してありさえすれば、便座Ｂと便器Ａの固定をこのカプラーＤの嵌合のみにより行い、便座Ｂの横方向へのぶれを中継ボックス２にガイドを設けたり、便座機能部Ｂ１のケーシング４側と便器Ａ側に相互に対応して係合する突起と凹部または孔を夫々設けることにより防止するようにしてもよい。
【００２３】
尚、局部洗浄用給水系の給水配管ａ２は、前述のように洗浄水タンクＣに装備されるボールタップ給水栓に連絡する便器洗浄用給水系の給水配管ａ１からタンク外部で分岐せしめる以外にも、図８に示すようにタンクＣ内部で便器洗浄用給水系の給水配管ａ１から分岐せしめてタンクＣ内から取り出すようにしたり、図９に示すように洗浄水タンクＣ内においてボールタップ給水栓Ｇから分岐せしめてタンクＣ内からタンクＣ下方に取り出すようにしてもよい。
【００２４】
また、フラッシュバルブを用いる形式のものにおいては、局部洗浄用給水系の給水配管ａ２は図１０に示すようにフラッシュバルブＨの止水栓Ｈ１から分岐金具１９を介して分岐させて中継ボックス２に接続される。
【００２５】
次に図１１は洗浄便座の給水管接続構造の他の実施例を示すもので、便器洗浄用給水系の給水配管ａ１から分岐せしめた局部洗浄用給水系の給水配管ａ２を中継ボックスを用いずに洗浄便座Ｂの機能部Ｂ１の給水配管ａ３に接続したもので、両給水配管ａ２、ａ３を便器Ａに洗浄便座Ｂを固定する便座固定用の固定具１４を利用して接続している。
【００２６】
この実施例では、洗浄水タンク一体型の便器における洗浄便座Ｂの給水管接続構造を示しており、洗浄便座Ｂは便座固定用の取付ボルト１４によって便器に取り付け固定されている。
上記取り付けボルト１４は頭部１４１  を洗浄便座Ｂの機能部ケーシング４底面に開設した取付孔１３を介してケーシング４内底面に係止させ、軸杆部１４３  を便器Ａの便座取付面１を貫通させて洗浄水タンクＣ’内に挿入し、洗浄タンクＣ’内側からナット１４２  を螺着する。このナット１４２  と前記頭部１４１  とにより便座Ｂの機能部ケーシング４底面と便器Ａの便座取付面１を挟持固定する。
この取付ボルト１４にはこれを軸方向に貫通する通水路２０が形成されており、洗浄水タンクＣ’内に突出した軸杆部１４３  の端部に便器洗浄用給水系の給水配管ａ１から分岐せしめた局部洗浄用給水系の給水配管ａ２が接続され、洗浄便座Ｂの機能部ケーシング４内に突出する取付ボルト１４の頭部１４１  に洗浄便座機能部Ｂ１の給水配管ａ４が接続される。
【００２７】
上記局部洗浄用給水系の給水配管ａ２は、洗浄水タンクＣ’内に立ち上げ配管された便器洗浄用給水系の給水配管ａ１から分岐されてその端末に袋ナット２１が係止されており、該袋ナット２１を介して前記取付ボルト１４の軸杆部１４３  に接続される。
【００２８】
一方、取付ボルト１４の頭部１４１  には通水路２０開口部を囲んで上面に突出する環状の凸部１４４  が設けられており、この環状凸部１４４  に洗浄便座機能部Ｂ１の給水配管ａ３が接続される。
この環状凸部１４４  への洗浄便座機能部Ｂ１の給水配管ａ３の接続は、上記便器洗浄用給水系の給水配管ａ１から分岐せしめた局部洗浄用給水系の給水配管ａ２のボルト１４への接続同様、袋ナットを介して行ってもよいし、ボルト頭部１４１  の環状凸部１４４  に給水配管ａ３を直接螺着または嵌着させるようにしてもよい。
この洗浄便座機能部Ｂ１の給水配管ａ３は、ボルト１４に接続した状態でもボルト１４による洗浄便座Ｂの便器Ａへの取付固定ができるように、フレキシブルな管により構成するのが好ましい。
【００２９】
次に図１２は図１１に示した実施例同様、中継ボックスを用いずに局部洗浄用給水系の給水配管ａ２と洗浄便座Ｂの機能部Ｂ１の給水配管ａ３とを接続した実施例を示すものであり、便器Ａの便座取付面部１に該部を上下に貫通するように給水配管挿通孔３０を開穿して、便器洗浄用給水系の給水配管ａ１から分岐せしめた局部洗浄用給水系の給水配管ａ２を上記給水配管挿通孔３０を通して便座取付面１上に臨ませ、この便座取付面部分１において局部洗浄用給水系の給水配管ａ２と洗浄便座Ｂの給水配管ａ３とを接続具Ｄを用いて接続している。
上記局部洗浄用給水系の給水配管ａ２と洗浄便座Ｂの給水配管ａ３とはともにフレキシブルな管により構成されており、接続具Ｄはカプラー構造のものが用いられている。
そして、この実施例においても先の実施例同様、上記カプラー構造の接続具Ｄにはプラグとソケットの結合状態においてはこれらを軸方向に貫通する通路を解放し、両者が外された状態においては閉鎖するように構成された弁が設けられている。
【００３０】
本実施例及び図１１に示した実施例では、いずれも洗浄水タンク一体型の便器を図示したが、別体に形成された洗浄水タンクを組み付ける形式の便器においても同様に実施できることはいうまでもない。
【００３１】
【発明の効果】
本発明は以上のように構成したので、下記の効果を奏する。
請求項１に記載の便器では、洗浄便座を取付け可能な便器において、前記洗浄便座への給水接続部及び電気接続部を備え、前記洗浄便座側の給水配管及び電気配線と前記給水接続部及び電気接続部との接続方向を同じ方向に設定したので、洗浄便座を一方向に移動させることによって給水接続と電気接続が完了するので、接続施工が行い易く、洗浄便座設置の作業性が向上すると共に洗浄便座メンテナンスの際における洗浄便座の着脱も容易になる。
【００３２】
また、洗浄便座を取付け可能な便座取付面の上面に、前記給水接続部及び電気接続部を並設したので、洗浄便座を便器上に置くだけの作業で接続できるので、接続作業が行い易い。
【００３３】
請求項２に記載の便器では、洗浄便座を取付け可能な便器において、前記洗浄便座への給水接続部及び電気接続部を、前記洗浄便座を取付け可能な便座取付面の後方側の立面に並設し、前記洗浄便座側の給水配管及び電気配線と前記給水接続部及び電気接続部との接続方向を同じ方向に設定したので、洗浄便座を便器上でスライドさせるだけで接続できるので、接続作業が行い易く、洗浄便座設置の作業性が向上すると共に洗浄便座メンテナンスの際における洗浄便座の着脱も容易になる。
【００３４】
請求項３に記載の本発明では、便器に取り付けられた洗浄便座に給水接続及び電気接続を行うための中継ボックスであって、中継ボックスに洗浄便座への供給用給水配管及び電気配線の先端をそれぞれ接続すると共に、前記洗浄便座との給水配管及び電気配線の接続方向を同じ方向とした洗浄便座用給水接続部及び洗浄便座用電気接続部を設けたので、洗浄便座を一方向に移動させることによって給水接続と電気接続が完了するので、接続施工が行い易く、洗浄便座設置の作業性が向上すると共に洗浄便座メンテナンスの際における洗浄便座の着脱も容易になる。
【００３５】
請求項４記載の本発明に係る洗浄便座では、便器に向けて移動させることによって、上記請求項３記載の給水・電気接続用中継ボックスを介して外部の給水配管との接続及び電気配線との接続がなされることとしたので、洗浄便座を一方向に移動させることによって給水接続と電気接続が完了することになり、接続施工が行い易く、洗浄便座設置の作業性が向上すると共に洗浄便座メンテナンスの際における洗浄便座の着脱も容易になる。また、給水接続と電気接続を同時に行うこともできる。
【図面の簡単な説明】
【図１】本発明の一実施例を示す洗浄便座の給水管接続構造の側面図で、要部を切欠して示している。
【図２】平面図で要部を切欠して示している。
【図３】要部の拡大断面図で、接続された状態を示している。
【図４】同要部の拡大断面図で、接続前の状態を示している。
【図５】配線の接続構造と洗浄便座の取付構造を示す要部の断面図。
【図６】同断面図で、洗浄便座の取付構造の変形例を示している。
【図７】洗浄便座の取付構造の他の変形例を示す平面図で、一部切欠して示している。
【図８】中継ボックスの取り付け位置の変形例を示す斜視図で、洗浄便座を便器から取り外して示している。
【図９】便器洗浄用給水系の給水配管からの局部洗浄用の給水配管の分岐状態の変形例を示す一部切欠正面図。
【図１０】同局部洗浄用の給水配管の分岐状態の他の変形例を示す正面図。
【図１１】洗浄便座の給水管接続構造の他の例を示す側面図で、要部を切欠して示している。
【図１２】洗浄便座の給水管接続構造の更に他の例を示す斜視図で、洗浄便座を便器から取り外して示している。
【図１３】従来の洗浄便座の給水管接続構造を示す一部切欠側面図で、要部を拡大して示してある。
【符号の説明】
Ａ：便器    Ａ１：起立部（便座取付面の後方側の立面）
Ｂ：洗浄便座    Ｅ：電気接続具（洗浄便座用電気接続部）
ａ１：便器洗浄用給水系の給水配管    ａ２：局部洗浄用給水系の給水配管
ａ３：洗浄便座の給水配管
ｂ１：電気配線    ｂ２：電気配線
１：便座取付面    ２：中継ボックス
６：プラグ（洗浄便座用給水接続部）
【図１】
0003591485.tif 000002
【図２】
0003591485.tif 000003
【図３】
0003591485.tif 000004
【図４】
0003591485.tif 000005
【図５】
0003591485.tif 000006
【図６】
0003591485.tif 000007
【図７】
0003591485.tif 000008
【図８】
0003591485.tif 000009
【図９】
0003591485.tif 000010
【図１０】
0003591485.tif 000011
【図１１】
0003591485.tif 000012
【図１２】
0003591485.tif 000013
【図１３】
0003591485.tif 000014